(57)【要約】【課題】妨害信号量の検出値に誤差を含まず、誤り訂正の効果を最大限に引き出せることを可能としたマルチキャリア変調信号受信装置を提供する。【解決手段】アンテナ部より信号を受信し、直交検波処理、ＦＦＴ処理、等化処理、デインタリーブ処理、デマッピング処理、復号処理、エネルギー逆拡散処理、リード・ソロモン復号処理と通常の受信装置で行われている処理を行う。さらに、デマッピング処理部に入力される信号（等化後のシンボル点）を別途保持しておく一方で、リード・ソロモン復号結果のデータ列に対し、再び送信装置での変調処理と同じ手順で再度符号化処理を施す。このとき、エネルギー拡散処理、畳み込み符号処理およびＱＰＳＫや１６ＱＡＭ、６４ＱＡＭなど多値変調ＱＡＭ信号のマッピング処理を行う。【選択図】図１（ａ）
2013055368.tif 000002
【特許請求の範囲】
【請求項１】
アンテナ部により受信された信号から所定の周波数帯域のマルチキャリアの信号を選局するチューナ部と、
前記チューナ部から入力したマルチキャリアの信号をサンプリングし、デジタル信号へと変換するＡ／Ｄ変換処理部と、
前記Ａ／Ｄ変換処理部から入力した信号をマルチキャリアの信号を復調し、キャリア毎に受信シンボル点と伝送路特性の推定結果のデータ列を生成する復調部と、
前記復調部から入力した受信シンボル点と伝送路特性の推定結果のデータ列の並び替えを行うデインタリーブ処理部と、
前記デインタリーブ処理部から入力した並び替えた受信シンボル点と伝送路特性の推定結果から信頼性情報を生成する第１のデマッピング処理部と、
前記第１のデマッピング処理部より入力したビットデータの信頼性情報に基づいて、誤り訂正処理を行い、送信信号系列を復元する第１の誤り訂正部と、
前記第１の誤り訂正部から入力した送信信号系列を復元したデータに対し符号化処理を行い、前記符号化処理と並行して、符号処理後の信号が誤り訂正できなかった信号から生成されたかどうかを判定するエラー訂正可能範囲を示す信号を生成する符号化部と、
前記符号化部から入力した符号化処理を行ったデータをキャリア変調方式に従いマッピングを行ったマッピング点の情報とエラー訂正可能範囲を示す信号を生成するマッピング処理部と、
前記デインタリーブ処理部から入力した受信シンボル点と、前記マッピング処理部から入力したマッピング点の情報とマッピング点の誤り有無情報とのタイミングをそろえ、前記受信シンボル点と前記マッピング点の情報との距離を算出する符号間距離算出・累積処理部と、
前記デインタリーブ処理部から入力した並び替えた受信シンボル点と伝送路特性の推定結果を前記マッピング処理部から入力したマッピング点の情報とマッピング点の誤り有無情報と、
前記符号間距離算出・累積処理部から入力した前記受信シンボル点と前記マッピング点の情報との距離情報と、デインタリーブ処理部から入力した伝送路特性の推定結果からデマッピング処理を行う第２のデマッピング処理部と、
前記第２のデマッピング処理部から入力したビットデータと信頼性情報に基づいて、誤り訂正処理を行い、元の信号系列を生成する第２の誤り訂正部と、
を備えたことを特徴とするマルチキャリア変調信号受信装置。
【請求項２】
前記マッピング処理部は、誤り訂正結果のデータを再度符号化する際に、誤り訂正されたデータ範囲を正確に算出し、誤り訂正されたデータ範囲を示す情報に従って、等化処理後の信号点とエラー訂正した信号から生成した信号点と、等化処理後の信号点に最も近いシンボル点の情報を組み合わせて、新たな信号点を生成し、新たな信号点に応じて信頼性情報を生成することを特徴とする請求項１記載のマルチキャリア変調信号受信装置。
【請求項３】
符号化された信号がエラー訂正できた信号から生成された場合には、
エラー訂正した信号から生成した信号点と復調後の受信シンボル点とのユークリッド距離をキャリア単位に積算し、
符号化された信号がエラー訂正できなかった信号から生成された場合には、
復調後の受信シンボル点と、復調後の受信シンボル点から最も近い送信符号点とのユークリッド距離をキャリア単位に積算し、
符号化された信号が、エラー訂正できなかった信号とエラー訂正できた信号から生成された場合には、
エラー訂正できた信号から決定される符号点の候補のうち、復調後の受信シンボル点から最も近い符号点を送信符号点とみなし、復調後の受信シンボル点と、送信符号点とみなした信号点とのユークリッド距離を積算し、
前記ユークリッド距離をキャリア単位に積算し得られた値を、妨害信号量とみなして誤り訂正部へと与える信頼性情報として利用する請求項２記載のマルチキャリア変調信号受信装置。
【請求項４】
符号化された信号がエラー訂正できた信号から生成された場合には、
エラー訂正した信号から生成した信号点と復調後の受信シンボル点のユークリッド距離をキャリア単位に積算し、
符号化された信号がエラー訂正できなかった信号から生成された場合には、
復調後の受信シンボル点と、復調後の受信シンボル点から最も近い送信符号点とのユークリッド距離を大きく補正した上でキャリア単位に積算し、
符号化された信号が、エラー訂正できなかった信号とエラー訂正できた信号から生成された場合には、エラー訂正できた信号から決定される符号点の候補のうち、復調後の受信シンボル点から最も近い符号点を送信符号点とみなし、復調後の受信シンボル点と、送信符号点とみなした信号点とのユークリッド距離を積算し、前記ユークリッド距離をキャリア単位に積算し得られた値を、妨害信号量とみなして誤り訂正部へと与える信頼性情報として利用する請求項３記載のマルチキャリア変調信号受信装置。
【請求項５】
前記第２の誤り訂正部からの入力信号が前記第２の誤り訂正部で実施された誤り訂正処理回数をカウントし、誤り訂正処理回数が所定回数未満のときに前記符号化部に信号を出力する誤り訂正カウント部を備えたことを特徴とする請求項１記載のマルチキャリア変調信号受信装置。
【請求項６】
アンテナ部により受信された信号から所定の周波数帯域のマルチキャリアの信号を選局するチューナ部と、
前記チューナ部から入力したマルチキャリアの信号をサンプリングし、デジタル信号へと変換するＡ／Ｄ変換処理部と、
前記Ａ／Ｄ変換処理部から入力した信号をマルチキャリアの信号を復調し、キャリア毎に受信シンボル点と伝送路特性の推定結果のデータ列を生成する復調部と、
前記復調部から入力した受信シンボル点と伝送路特性の推定結果のデータ列の並び替えを行うデインタリーブ処理部と、
前記デインタリーブ処理部から入力した並び替えた受信シンボル点と伝送路特性の推定結果から信頼性情報を生成する第１のデマッピング処理部と、
前記第１のデマッピング処理部より入力したビットデータの信頼性情報に基づいて、誤り訂正処理を行い、送信信号系列を復元する第１の誤り訂正部と、
前記第１の誤り訂正部から入力した送信信号系列が前記第１の誤り訂正部で実施された誤り訂正処理回数をカウントし、誤り訂正処理回数が所定回数未満のときに前記符号化部に信号を出力する誤り訂正カウント部と、
前記誤り訂正カウント部から入力した送信信号系列を復元したデータに対し符号化処理を行い、前記符号化処理と並行して、符号処理後の信号が誤り訂正できなかった信号から生成されたかどうかを判定するエラー訂正可能範囲を示す信号を生成する符号化部と、
前記符号化部から入力した符号化処理を行ったデータをキャリア変調方式に従いマッピングを行ったマッピング点の情報とエラー訂正可能範囲を示す信号を生成するマッピング処理部と、
前記デインタリーブ処理部から入力した受信シンボル点と、前記マッピング処理部から入力したマッピング点の情報とマッピング点の誤り有無情報とのタイミングをそろえ、前記受信シンボル点と前記マッピング点の情報との距離を算出する符号間距離算出・累積処理部と、
前記デインタリーブ処理部から入力した並び替えた受信シンボル点と伝送路特性の推定結果を前記マッピング処理部から入力したマッピング点の情報とマッピング点の誤り有無情報と、
前記符号間距離算出・累積処理部から入力した前記受信シンボル点と前記マッピング点の情報との距離情報と、デインタリーブ処理部から入力した伝送路特性の推定結果からデマッピング処理を行い、前記第１の誤り訂正部に出力する第２のデマッピング処理部と、
前記誤り訂正カウント部がカウントした誤り訂正処理回数が所定回数以上のときにＴＳ再生処理部に信号を出力するマルチキャリア変調信号受信装置。
【発明の詳細な説明】
【技術分野】
【０００１】
本発明は、マルチキャリア変調された信号を受信する際に、受信信号に重畳した妨害信号を検出し、影響を取り除く技術に関する。
【背景技術】
【０００２】
近年、世界各国において地上デジタル放送が開始され、従来のアナログテレビ放送からの置き換えが進められている。欧州の地上デジタル放送規格（ＤＶＢ−Ｔ）や、日本の地上デジタル放送規格（ＩＳＤＢ−Ｔ）では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式が採用され、多数の搬送波を用いることにより高い伝送容量の信号の伝送することができる。
【０００３】
ＯＦＤＭ方式では、ガードインターバルと呼ばれる前後のシンボルからの干渉を防止するための仕組みにより、反射波による干渉の影響を受けにくくしたり、伝送信号をデジタル符号に変換し、誤り訂正符号処理を施すことにより、受信信号のノイズ耐性を向上させたりしている。特に、ＩＳＤＢ−Ｔ規格においては、インタリーブと呼ばれるデータの並び替えや、階層伝送と呼ばれるノイズ耐性が異なる複数の放送を伝送し視聴側で選択視聴する仕組みなども導入されており、さらに受信品質が低下した際にも安定した放送の視聴が行えるようになっている。前記の誤り訂正符号処理は一例であり、他にも様々な信号処理技術が組み込まれており、受信装置において適切な処理を施すことで、受信信号レベルの低下や電波障害があっても正常な受信状態を保つことが可能である。
【０００４】
ここで、図８を用いて、日本の地上デジタル放送規格であるＩＳＤＢ−Ｔ方式の放送を受信するためのマルチキャリア変調信号受信装置の構成を説明する。マルチキャリア変調信号受信装置は、アンテナ部６０１と、チューナ部６０２と、Ａ／Ｄ変換処理部６０３と、直交検波処理部６１１と、ＦＦＴ処理部６１２と、等化処理部６１３と、デインタリーブ処理部６２１と、デマッピング処理部６２２と、ビットデインタリーブ処理部６３１と、復号処理部６３２と、エネルギー逆拡散処理部６３４と、ＲＳ（リード・ソロモン）復号処理部６３５と、ＴＳ（トランスポートストリーム）再生処理部６７１と、ＴＳデコード処理部６７２と、ＭＰＥＧ（Ｍｏｖｉｎｇ  Ｐｉｃｔｕｒｅ  Ｅｘｐｅｒｔｓ  Ｇｒｏｕｐ）デコード処理部６７３とで構成されている。
【０００５】
チューナ部６０２は、アンテナ部６０１により受信された信号から所定の周波数帯域の信号を選局し、Ａ／Ｄ変換処理部６０３へと出力する。Ａ／Ｄ変換処理部６０３は、チューナ部６０２から出力されたＯＦＤＭ信号をサンプリングし、デジタル信号へと変換した上で、直交検波処理部６１１へと出力する。
【０００６】
直交検波処理部６１１は、Ａ／Ｄ変換処理部から入手したＯＦＤＭ信号に、基準搬送波と同一周波数の正弦波信号を乗じてベースバンドのＯＦＤＭ信号へと変換し、ＦＦＴ処理部６１２へと出力する。
【０００７】
ＦＦＴ処理部６１２は、直交検波処理部６１１から出力されたベースバンドのＯＦＤＭ信号から、有効シンボル期間の信号列を抽出する。そして、抽出した信号列に対し離散フーリエ変換を施し、複素信号を生成する。ＦＦＴ処理部６１２は、離散フーリエ変換して得られた複素信号を等化処理部６１３へと出力する。
【０００８】
等化処理部６１３は、ＦＦＴ処理部６２１から複素信号を受け取る。ＦＦＴ処理部から入手した複素信号は、ＦＦＴポイント数だけ存在し、その１つ１つがＯＦＤＭシンボルのデータとなっている。例えば、ＩＳＤＢ−Ｔ放送規格のモード３と呼ばれる運用規格に従えば、ＦＦＴポイント数は８１９２となり、出力される８１９２個の複素信号が得られる。このうち５６１７個が処理対象となる信号であり、これをＯＦＤＭシンボルと呼ぶ。ＯＦＤＭシンボルのデータは、キャリア方向に１２シンボル毎にＳＰ（Ｓｃａｔｔｅｒｅｄ  Ｐｉｌｏｔ：スキャッタードパイロット）信号を含んでいる。また、ＳＰ信号は、時間方向に３シンボルずつずらして配置されている。よって等化処理部６１３は、ＯＦＤＭシンボルから離散配置されたＳＰ信号を検出・抽出する。
【０００９】
次に、ＳＰ信号は、既知の信号であるため、抽出したＳＰ信号を既知の複素信号値で除算することによりＳＰキャリア位置の送受間での伝送路特性を推定することができる。ＯＦＤＭ信号の中に離散的に配置されたＳＰ信号位置の伝送路特性の推定値をもとに補間処理することで、ＳＰ信号の間にあるＯＦＤＭキャリアの伝送路特性も推定することができる。そして、算出した伝送路特性で各ＯＦＤＭシンボルを除算することで、伝送路の影響を補償したＯＦＤＭシンボル点の情報が得られる。等化処理部６１３は伝送路の影響を補償したＯＦＤＭシンボル点の情報（以下、「受信したＯＦＤＭシンボル点」と呼ぶ）と、「受信したＯＦＤＭシンボル点」それぞれに対応する伝送路特性の推定結果の複素信号をデインタリーブ処理部６２１へと出力する。
【００１０】
デインタリーブ処理部６２１は、等化処理部６１３から「受信したＯＦＤＭシンボル点」と伝送路特性の推定結果のデータ列を順次受け取る。そして、受け取ったデータ列の並び替えを行う。並び替えの規則は、ＩＳＤＢ−Ｔ規格で規定されており、送信側のインタリーブ処理において時間方向および周波数方向にランダムに並び替えられた信号を元の順序に戻す処理を行う。そして、デマッピング処理部６２２へと並び替えた「受信したＯＦＤＭシンボル点」と伝送路特性の推定結果のデータ列を出力する。
【００１１】
デマッピング処理部６２２は、デインタリーブ処理部６２１から並び替えられた「受信したＯＦＤＭシンボル点」と伝送路特性の推定結果のデータ列を入手する。ＯＦＤＭシンボルは、信号の送信側において、キャリア変調方式に従って複素平面上にマッピングされている。例えばキャリア変調方式が６４ＱＡＭであれば、入手したビットデータに応じ６４点のマッピング点のいずれかの信号へと変換される。
【００１２】
よって、デマッピング処理部６２２では、「受信したＯＦＤＭシンボル点」から最も近いマッピング点を送信信号点とみなし、ビットデータを生成する。また、「受信したＯＦＤＭシンボル点」と「受信したＯＦＤＭシンボル点」から最も近いマッピング点との距離情報（以下、受信シンボル点の距離情報）と、別途デインタリーブ処理部６２１から入手した「受信したＯＦＤＭシンボル点」が含まれるキャリアの伝送路特性の大きさの情報を基に信頼性情報を生成する。
【００１３】
この際、ＯＦＤＭシンボル単位で前記受信点間の距離情報を一定期間累積し、ＯＦＤＭシンボルが含まれるキャリアに含まれるキャリア毎のノイズ量を別途算出した上、キャリア毎のノイズ量、伝送路特性の推定結果および受信シンボル点の距離情報から信頼性情報を生成してもよい。以上のように信頼性情報を算出し後段の復号処理部で利用する処理は、「軟判定」と呼ばれる。そして、「受信したＯＦＤＭシンボル点」から最も近いマッピング点から生成したビットデータと信頼性情報とをビットデインタリーブ処理部６３１へと出力する。
【００１４】
ビットデインタリーブ処理部６３１は、デマッピング処理部６２２より入手したビットデータと信頼性情報を、ＩＳＤＢ−Ｔ規格の規定に従い元の順序へと並び替えを行った後に、復号処理部６３２へと出力する。
【００１５】
復号処理部６３２は、ビットデインタリーブ処理部６３１よりビットデータと信頼性情報を入手し、受け取ったビットデータを信頼性情報に応じて入力データの重み付けを行って復号処理を行う。現在、ビタビ復号と呼ばれる復号処理が広く用いられているが、他の復号アルゴリズムに沿った処理でもよい。復号処理部６３２、バイトデインタリーブ処理部６３３へと復号結果のデータ列を出力する。
【００１６】
バイトデインタリーブ処理部６３３は、復号処理部６３２より入手した誤り訂正後のデータ列を受け取り、ＩＳＤＢ−Ｔ規格の規定に従い元の順序へと並び替えを行い、エネルギー逆拡散処理部６３４へとデータ列を出力する。
【００１７】
エネルギー逆拡散処理部６３４は、バイトデインタリーブ処理部６３３より得られたデータ列をＩＳＤＢ−Ｔ規格の規定に従い信号の送信側で施されたエネルギー拡散処理を元に戻す処理を行い、変換後のデータ列をＲＳ復号処理部６３５へと出力する。
【００１８】
ＲＳ復号処理部６３５は、エネルギー拡散処理部６３４より入手したデータ列を受け取り付与されている外符号を用いてリード・ソロモン復号処理を行い、ＴＳ再生処理部６７１へとリード・ソロモン復号後のデータ列を出力する。
【００１９】
ＴＳ再生処理部６７１は、ＲＳ復号処理部６３５からリード・ソロモン復号されたデータ列を入手する。ＲＳ復号処理部６３５から得られたリード・ソロモン復号されたデータ列は、トランスポートストリームのパケットとなっている。ＴＳ再生処理部６７１では、ＲＳ復号処理部６３５から得たトランスポートストリームのパケット数が伝送パラメータにより異なるため、適切な数のヌルパケットを補完し、伝送パラメータに依存せず一定のトランスポートストリームのパケット数が出力されるように調整する。ＴＳ再生処理部６７１は、ヌルパケットを補完した後のトランスポートストリームのパケットをＴＳデコード処理部６７２へと出力する。
【００２０】
ＴＳデコード処理部６７２は、ＴＳ再生処理部６７１から出力されるトランスポートストリームのパケットを入手し、トランスポートストリームに含まれる情報をもとに、ビデオパケット、オーディオパケット、ＰＣＲ（Ｐｒｏｇｒａｍ  Ｃｌｏｃｋ  Ｒｅｆｅｒｅｎｃｅ）パケット等のパケットに分類し、ＭＰＥＧデコード処理部６７３へと出力する。
【００２１】
ＭＰＥＧデコード処理部６７３は、ビデオデコーダおよびオーディオデコーダから構成される。ビデオデコーダは、ＴＳデコード処理部６７２から入手したトランスポートストリームパケットのうちビデオパケットを抽出し、データを復号し画像データを生成する。オーディオデコーダは、ＴＳデコード処理部６７２から入手したトランスポートストリームのうちオーディオパケットを抽出し、データを復号し音声データを生成する。
【００２２】
そして、ＭＰＥＧデコード処理部６７３は、ＰＣＲパケットに含まれる時間情報を基に、画像データと音声データの出力タイミングを調整した上で、画像データと音声データを表示装置等に出力する。
【００２３】
以上のように図８に示した構成により、ＩＳＤＢ−Ｔ方式の放送波を受信した後、各種の処理を行った結果、画像や音声の視聴や記録が可能となる。
【００２４】
また、図９を用いてエラー情報演算処理部１４６の処理手順を説明する。図９は、畳み込み符号処理部１４５にて畳み込み符号の生成を行う際に用いる符号化回路の構成例である。一方の符号の生成多項式Ｇ１＝（１２２，１，０，０，１）、Ｇ２＝（１，０，１，１，０，１，１）の拘束長ｋ＝７、符号化率１／２の符号化回路を示す。入力側から入ったデータが遅延回路に入力され、各遅延素子の出力を生成多項式に従って排他的論理和の演算を行い、Ｘ出力とＹ出力の２つのデータが出力される。
【００２５】
しかしながら、デジタル放送では、受信信号レベルが一定のレベルを下回ったり、電波障害量が一定のレベルを超えると急激に受信状態が悪化し、画像や音声が部分的に欠落したり、さらには映像や音声の途切れが生じる。地上デジタル放送の受信品質劣化の要因としては、自身の信号が建造物や山岳等に反射し生じる遅延波や、同一周波数帯で受信されたアナログテレビ放送波、帯域外で強いレベルの信号がアンプ等で歪むことにより生ずる相互変調歪みや、受信装置内や他の機器にて発生する不要輻射等のノイズ信号が考えられ、受信しようとする信号に対し妨害信号レベルが一定レベルより大きくなると受信品質への影響が現れる。
【００２６】
本明細書においては、デジタル放送で用いられている周波数帯域に重畳されたアナログテレビ放送波、相互変調歪み、たとえばクロック信号の高調波など不要輻射によるノイズ信号のように、ＯＦＤＭ信号と比べて周波数特性に偏りがある妨害信号のことを、周波数選択性妨害信号と呼び、周波数選択性妨害信号への耐性を向上させるための技術について説明を行う。
【００２７】
これまで、ＯＦＤＭなどマルチキャリア変調された信号が受ける周波数選択性妨害信号の影響を検出・除去するための技術が開示されている。たとえば、特許文献１では、ＯＦＤＭ信号を復調する過程で、複数のキャリアそれぞれの復調信号点と代表受信シンボル点との距離をキャリア毎に計測・時間方向に積分し復調信号の分散の大きさを求め、分散の大きさをキャリア毎に比較することで、キャリア毎のＣ／Ｎを検出し、Ｃ／Ｎが悪いキャリアは周波数選択性の妨害を受けているものとする妨害検出手段と、妨害検出手段にて検出したＣ／Ｎの情報に基づいて復調信号に段階的に重み付けを行い、軟判定と呼ばれる方法により誤り訂正処理を行うＯＦＤＭ受信装置が開示されている。復調信号点と代表受信シンボル点との距離の値は、ＭＥＲ（Ｍｏｄｕｌａｔｉｏｎ  Ｅｒｒｏｒ  Ｒａｔｉｏ：変調誤差比）とも呼ばれ、軟判定処理においてキャリア毎に算出したＭＥＲの値を利用している。
【００２８】
また、特許文献２では、ＯＦＤＭ信号に規則的に配置されたパイロット信号を用いて送受間の伝送路特性を推定し補償する際に、周波数選択性妨害信号を検出し、もし周波数選択性妨害信号が検出された場合には、妨害を受けたキャリアの周辺に存在するパイロット信号は伝送路特性の推定には使用せず、妨害信号の影響を受けていないパイロット信号から妨害信号を検出したキャリアの周辺の伝送路特性を推定し、信号処理に用いるＯＦＤＭ受信装置が開示されている。
【先行技術文献】
【特許文献】
【００２９】
【特許文献１】特許第２９５４５７０号公報
【特許文献２】特許第３３６３０８６号公報
【発明の概要】
【発明が解決しようとする課題】
【００３０】
特許文献１では、周波数選択性妨害信号を、複数のキャリアそれぞれの復調信号点と代表受信シンボル点との距離の積分値から検出している。具体的には、等化後のシンボルを最も近接した代表シンボル点での受信とみなす硬判定処理を行い、等化後のシンボル点と近接した代表シンボル点との距離をキャリア毎に時間方向に積分したものを妨害信号量の指標として用いている。しかしながら、ＯＦＤＭキャリアが、たとえば６４ＱＡＭといった多値ＱＡＭ変調を施されていると、妨害信号量が６４ＱＡＭ信号の符号間距離よりも大きい場合や、パイロットキャリアに妨害信号が重なり伝送路特性の推定誤差が大きく、受信信号を誤差を含む伝送路特性で除算した結果、等化後のシンボル点が送信シンボル点から大きく離れる場合がある。このとき、等化後のシンボル点と最も近接したシンボル点との距離を算出すると、本来の送信信号点はさらに離れたところに存在するため、妨害信号量を小さく見積もってしまう課題があった。
【００３１】
また、算出した妨害信号量を誤り訂正符号処理部において信頼性情報として用いて誤り訂正能力を向上させているが、上述したように等化後のシンボル点と最も近接したシンボル点との距離の積分値を妨害信号量とすると、妨害信号量の検出値に誤差を含む可能性があるため、誤り訂正処理部での誤り訂正の効果を最大限に引き出すことができなかった。
【００３２】
本発明は、前記従来の課題を解決するもので、誤り訂正の効果を最大限に引き出せることを可能としたマルチキャリア変調信号受信装置を提供することを目的とする。
【課題を解決するための手段】
【００３３】
前記従来の課題を解決するために、本発明のマルチキャリア変調信号受信装置は、アンテナ部により受信された信号から所定の周波数帯域のマルチキャリアの信号を選局するチューナ部と、チューナ部から入力したマルチキャリアの信号をサンプリングし、デジタル信号へと変換するＡ／Ｄ変換処理部と、Ａ／Ｄ変換処理部から入力した信号をマルチキャリアの信号を復調し、キャリア毎に受信シンボル点と伝送路特性の推定結果のデータ列を生成する復調部と、復調部から入力した受信シンボル点と伝送路特性の推定結果のデータ列の並び替えを行うデインタリーブ処理部と、デインタリーブ処理部から入力した並び替えた受信シンボル点と伝送路特性の推定結果から信頼性情報を生成する第１のデマッピング処理部と、第１のデマッピング処理部より入力したビットデータの信頼性情報に基づいて、誤り訂正処理を行い、送信信号系列を復元する第１の誤り訂正部と、第１の誤り訂正部から入力した送信信号系列を復元したデータに対し符号化処理を行い、符号化処理と並行して、符号処理後の信号が誤り訂正できなかった信号から生成されたかどうかを判定するエラー訂正可能範囲を示す信号を生成する符号化部と、符号化部から入力した符号化処理を行ったデータをキャリア変調方式に従いマッピングを行ったマッピング点の情報とエラー訂正可能範囲を示す信号を生成するマッピング処理部と、デインタリーブ処理部から入力した受信シンボル点と、マッピング処理部から入力したマッピング点の情報とマッピング点の誤り有無情報とのタイミングをそろえ、受信シンボル点とマッピング点の情報との距離を算出する符号間距離算出・累積処理部と、デインタリーブ処理部から入力した並び替えた受信シンボル点と伝送路特性の推定結果をマッピング処理部から入力したマッピング点の情報とマッピング点の誤り有無情報と、符号間距離算出・累積処理部から入力した受信シンボル点とマッピング点の情報との距離情報と、デインタリーブ処理部から入力した伝送路特性の推定結果からデマッピング処理を行う第２のデマッピング処理部と、第２のデマッピング処理部から入力したビットデータと信頼性情報に基づいて、誤り訂正処理を行い、元の信号系列を生成する第２の誤り訂正部と、を備えたことを特徴とする。信号を受信し、直交検波処理、ＦＦＴ処理、等化処理、デインタリーブ処理、デマッピング処理、復号処理、エネルギー逆拡散処理、リード・ソロモン復号処理と通常の受信装置で行われている処理を行う。さらに、デマッピング処理部に入力される信号（等化後のシンボル点）を別途保持しておく一方で、リード・ソロモン復号結果のデータ列に対し、再び送信装置での変調処理と同じ手順で再度符号化処理を施す。このとき、エネルギー拡散処理、畳み込み符号処理およびＱＰＳＫや１６ＱＡＭ、６４ＱＡＭなど多値変調ＱＡＭ信号のマッピング処理を行う。
【００３４】
以上のように、従来、等化後のシンボル点と等化後のシンボル点に最も近いマッピング点との距離からキャリア毎の妨害信号量や、受信信号の信号品質の指標値を算出していたが、正しい受信点を算出した上で、正しい受信点と等化後のシンボル点の距離から妨害信号量を算出・利用することで、妨害が含まれる信号の受信性能を高めることができる。また、誤り訂正処理と符号化処理を複数回繰り返すことにより、正しい受信点の情報がより多く生成できる一方、処理回路は共用化できる可能性がある。
【発明の効果】
【００３５】
本発明のマルチキャリア変調信号受信装置によれば、誤り訂正の効果を最大限に引き出せることを可能としたマルチキャリア変調信号受信装置を提供することができる。
【図面の簡単な説明】
【００３６】
【図１（ａ）】本発明の実施例１におけるマルチキャリア変調信号受信装置の構成を示すブロック図
【図１（ｂ）】本発明の実施例１におけるマルチキャリア変調信号受信装置の構成を示すブロック図
【図２】本発明の実施例１におけるマルチキャリア変調信号受信装置のエラー情報演算処理部の構成図
【図３】本発明の実施例１におけるマルチキャリア変調信号受信装置のマッピング処理部の処理の補足説明図
【図４】ノイズ量とＭＥＲ（Ｍｏｄｕｌａｔｉｏｎ  Ｅｒｒｏｒ  Ｒａｔｉｏ：変調誤差比）との関係を示す図
【図５】本発明の実施例１の符号間距離算出・累積処理部１５２において算出するユークリッド距離の補正方法を説明するための図
【図６】本発明の実施例１における他のマルチキャリア変調信号受信装置の構成を示すブロック図
【図７】本発明の実施例１における他のマルチキャリア変調信号受信装置の構成を示すブロック図
【図８】従来のマルチキャリア変調信号受信装置の構成を示すブロック図
【図９】従来のマルチキャリア変調信号受信装置の畳み込み符号化器の構成図
【発明を実施するための形態】
【００３７】
以下本発明を実施するための形態について、図面を参照しながら説明する。
【実施例１】
【００３８】
本実施例１の説明は、日本の地上デジタル放送規格であるＩＳＤＢ−Ｔ方式に従って説明を行うものとする。そして、ＤＶＢ−Ｔ方式など他の方式とは、必ずしもインタリーブ処理や階層伝送と呼ばれる処理が含まれない等の差異はあるが、本発明の概念に大きな影響を与えるものではないため、説明を省略する。また、ＩＳＤＢ−Ｔ方式については、公知の規格であるため、ここでは最低限の説明に留める。
【００３９】
図１は、本実施例１におけるマルチキャリア変調信号受信装置の構成を示すブロック図である。本実施例１のマルチキャリア変調信号受信装置は、図１（ａ）に示すようにアンテナ部１０１と、チューナ部１０２と、Ａ／Ｄ変換処理部１０３と、復調部１１０（直交検波処理部１１１と、ＦＦＴ処理部１１２と、等化処理部１１３）と、デインタリーブ処理部１２１と、第１のデマッピング処理部１２２と、第１の誤り訂正部１３０（第１のビットデインタリーブ処理部１３１と、第１の復号処理部１３２と、第１のバイトデインタリーブ処理部１３３と、第１のエネルギー逆拡散処理部１３４と、第１のＲＳ（Ｒｅｅｄ−Ｓｏｌｏｍｏｎ：リード・ソロモン）復号処理部１３５）と、符号化部１４０（第１のＲＳ符号処理部１４１と、エラー情報付加処理部１４２と、エネルギー拡散処理部１４３と、バイトインタリーブ処理部１４４と、畳み込み符号処理部１４５と、エラー情報演算処理部１４６と、ビットインタリーブ処理部１４７）と、マッピング処理部１５１と、符号間距離算出・累積処理部１５２と、第２のデマッピング処理部１５３と、第２の誤り訂正部１６０（第２のビットデインタリーブ処理部１６１と、第２の復号処理部１６２と、第２のバイトデインタリーブ処理部１６３と、第２のエネルギー逆拡散処理部１６４と、第２のＲＳ復号処理部１６５）と、ＴＳ（Ｔｒａｎｓｐｏｒｔ  Ｓｔｒｅａｍ：トランスポートストリーム）再生処理部１７１と、ＴＳデコード処理部１７２と、ＭＰＥＧ（Ｍｏｖｉｎｇ  Ｐｉｃｔｕｒｅ  Ｅｘｐｅｒｔｓ  Ｇｒｏｕｐ）デコード処理部１７３とで構成されている。
【００４０】
次に、図１の本実施例１におけるマルチキャリア変調信号受信装置の構成を説明する。図１は図８と比較して、アンテナ部１０１からデインタリーブ処理部１２１の構成と、アンテナ部６０１からデインタリーブ処理部６２１とが同じで、かつ、ＴＳ再生処理部１７１からＭＰＥＧデコード処理部１７３の構成と、ＴＳ再生処理部６７１からＭＰＥＧデコード処理部６７３とが同じである。そして、図８のデインタリーブ処理部６２１からＴＳ再生処理部６７１の間に異なる処理ブロックを追加した構成となる。具体的には、図１の第１のＲＳ復号処理部１３５の出力を再度符号処理するための符号処理部を経た後に、第２のデマッピング処理部１５３へと信号が入力され、再度復号処理を施した後に、ＴＳ再生処理部１７１からトランスポートストリーム信号を出力する構成となっている。以下、図１の各ブロックの動作を順に説明する。
【００４１】
チューナ部１０２は、アンテナ部１０１により受信された信号から所定の周波数帯域の信号を選局し、Ａ／Ｄ変換処理部１０３へと出力する。Ａ／Ｄ変換処理部１０３は、チューナ部１０２から出力されたＯＦＤＭ信号をサンプリングし、デジタル信号へと変換した上で、復調部１１０へと出力する。
【００４２】
復調部１１０は、Ａ／Ｄ変換処理部から入手したＯＦＤＭ信号をマルチキャリアの信号を復調し、キャリア単位のデータを生成する。以下に図１（ｂ）を参照しながら、復調部１１０の動作を詳細に説明する。
【００４３】
直交検波処理部１１１は、Ａ／Ｄ変換処理部から入手したＯＦＤＭ信号に、基準搬送波と同一周波数の正弦波信号を乗じてベースバンドのＯＦＤＭ信号へと変換し、ＦＦＴ処理部１１２へと出力する。
【００４４】
ＦＦＴ処理部１１２は、直交検波処理部１１１から出力されたベースバンドのＯＦＤＭ信号から、有効シンボル期間の信号列を抽出する。そして、抽出した信号列に対し離散フーリエ変換を施し、複素信号を生成する。ＦＦＴ処理部１１２は、離散フーリエ変換して得られた複素信号を等化処理部１１３へと出力する。
【００４５】
等化処理部１１３は、ＦＦＴ処理部１１２から複素信号を受け取る。ＦＦＴ処理部から入手した複素信号は、ＦＦＴポイント数だけ存在し、その１つ１つがＯＦＤＭシンボルのデータとなっている。例えば、ＩＳＤＢ−Ｔ放送規格のモード３と呼ばれる運用規格に従えば、ＦＦＴポイント数は８１９２となり、出力される８１９２個の複素信号が得られる。このうち５６１７個が処理対象となる信号であり、これをＯＦＤＭシンボルと呼ぶ。ＯＦＤＭシンボルのデータは、キャリア方向に１２シンボル毎にＳＰ（Ｓｃａｔｔｅｒｅｄ  Ｐｉｌｏｔ：スキャッタードパイロット）信号を含んでいる。また、ＳＰ信号は、時間方向に３シンボルずつずらして配置されている。よって等化処理部１１３は、ＯＦＤＭシンボルから離散配置されたＳＰ信号を検出・抽出する。
【００４６】
次に、ＳＰ信号は、既知の信号であるため、抽出したＳＰ信号を既知の複素信号値で除算することによりＳＰキャリア位置の送受間での伝送路特性を推定することができる。ＯＦＤＭ信号の中に離散的に配置されたＳＰ信号位置の伝送路特性の推定値をもとに補間処理することで、ＳＰ信号の間にあるＯＦＤＭキャリアの伝送路特性も推定することができる。そして、算出した伝送路特性で各ＯＦＤＭシンボルを除算することで、伝送路の影響を補償したＯＦＤＭシンボル点の情報が得られる。等化処理部１１３は伝送路の影響を補償したＯＦＤＭシンボル点の情報（以下、「受信したＯＦＤＭシンボル点」と呼ぶ）と、「受信したＯＦＤＭシンボル点」それぞれに対応する伝送路特性の推定結果の複素信号をデインタリーブ処理部１２１へと出力する。
【００４７】
デインタリーブ処理部１２１は、図８のデインタリーブ処理部６２１と同様に、ＯＦＤＭシンボルと伝送路特性の推定結果のデータ列を受け取り、データ列の並び替えを行う。そして、第１のデマッピング処理部１２２へと並び替えたＯＦＤＭシンボルと伝送路特性の推定結果のデータ列を出力する。また、符号間距離算出・累積処理部１５２へ並び替えたＯＦＤＭシンボルのデータ列を、第２のデマッピング処理部１５３に対して並び替えたＯＦＤＭシンボルと伝送路特性の推定結果のデータ列を出力する。
【００４８】
第１のデマッピング処理部１２２は、図８のデマッピング処理部６２２と同様に、デインタリーブ処理部１２１から並び替えられた「受信したＯＦＤＭシンボル点」と伝送路特性の推定結果のデータ列を入手し、「受信したＯＦＤＭシンボル点」から最も近いマッピング点を送信信号点とみなし、ビットデータを生成する。また、「受信したＯＦＤＭシンボル点」と「受信したＯＦＤＭシンボル点」から最も近いマッピング点との距離情報（以下、「受信シンボル点の距離情報」）と、別途デインタリーブ処理部１２１から入手した伝送路特性の情報を基に、信頼性情報を生成する。図８のデマッピング処理部６２２と同様に、ＯＦＤＭシンボル単位で前記「受信シンボル点の距離情報」を一定期間累積し、ＯＦＤＭシンボルが含まれるキャリアに含まれるキャリア毎のノイズ量として別途算出した上、キャリア毎のノイズ量、伝送路特性の推定結果および「受信シンボル点の距離情報」から信頼性情報を生成してもよい。そして、生成したビットデータと、信頼性情報とを第１の誤り訂正部１３０へと出力する。
【００４９】
第１の誤り訂正部１３０は、第１のデマッピング処理部１２２より入手したビットデータと信頼性情報に基づいて、誤り訂正処理を行い、元の信号系列を生成する。以下に図１（ｂ）を参照しながら、第１の誤り訂正部１３０の動作を詳細に説明する。
【００５０】
第１のビットデインタリーブ処理部１３１は、図８のビットデインタリーブ処理部６３１と同様に、第１のデマッピング処理部１２２より入手したビットデータと信頼性情報の並び替えを行い、第１の復号処理部１３２へと出力する。
【００５１】
第１の復号処理部１３２は、図８の復号処理部６３２と同様に、第１のビットデインタリーブ処理部１３１よりビットデータと信頼性情報を入手し、受け取ったビットデータを信頼性情報に応じて重み付けし復号処理を行い、第１のバイトデインタリーブ処理部１３３へと復号結果のデータ列を出力する。
【００５２】
第１のバイトデインタリーブ処理部１３３は、図８のバイトデインタリーブ処理部６３３と同様に、第１の復号処理部１３２より入手した復号結果のデータ列を受け取り元の順序へと並び替えを行い、第１のエネルギー逆拡散処理部１３４へとデータ列を出力する。
【００５３】
第１のエネルギー逆拡散処理部１３４は、図８のエネルギー逆拡散処理部６３４と同様に、第１のバイトデインタリーブ処理部１３３より得られたデータ列に対し信号の送信側で施されたエネルギー拡散処理を元に戻す処理を行い、変換後のデータ列を第１のＲＳ復号処理部１３５へと出力する。
【００５４】
以下で説明する第１のＲＳ復号処理部１３５から第２のＲＳ復号処理部１６５までの処理ブロックは、図８に対し新たに追加した処理ブロックまたは出力信号の接続先が異なる処理ブロックである。
【００５５】
第１のＲＳ復号処理部１３５は、第１のエネルギー拡散処理部１３４より入手したデータ列を受け取り、リード・ソロモン復号処理を行った上で、リード・ソロモン復号されたトランスポートストリームパケットのデータ列を符号化部１４０（ＲＳ符号処理部１４１）に出力すると共に、符号化部１４０（エラー情報付加処理部１４２）に対して、トランスポートストリームパケット単位でエラーの訂正が行われたか否かを示す情報と、トランスポートストリームパケットの先頭バイトを判別するための信号とを出力する。なお、トランスポートストリームパケット単位でエラーの訂正が行われたか否かの情報は、トランスポートストリームパケットに付与されているエラーフラグを用いることができる。
【００５６】
符号化部１４０は、第１のＲＳ復号処理部１３５から入手したトランスポートストリームパケットのデータに対し、送信装置で行われている符号化処理と同じ符号化処理を行う。そして、符号化処理と並行して、符号処理した信号が誤りを含んだ信号から生成されたかどうかを判定する信号を生成する。以下に図１（ｂ）を参照しながら、符号化部１４０の動作を詳細に説明する。
【００５７】
ＲＳ符号処理部１４１は、第１のＲＳ復号処理部１３５から入手したトランスポートストリームパケットのデータに対し、トランスポートストリーム毎にリード・ソロモン符号処理を施す。日本の地上デジタル放送方式では、短縮化リード・ソロモン符号（２０４，１８８）と呼ばれる処理を行い、２０４バイトから８バイトまでのランダム誤りを訂正可能とするための外符号が付与される。ＲＳ符号処理部１４１は、トランスポートストリームのデータに外符号を加えたデータをエネルギー拡散処理部１４３へと出力する。
【００５８】
エラー情報付加処理部１４２は、第１のＲＳ復号処理部からリード・ソロモン符号復号されたトランスポートストリームパケットのデータ列を入手する。そして、トランスポートストリームのデータのうち、パケット単位に与えられているパケットのエラー訂正可否の結果の情報をもとに、パケット単位でエラー訂正可否の情報と、パケット先頭の同期バイト部を判別するための信号を生成し、バイトインタリーブ処理部１４４へと出力する。
【００５９】
もしくは、エラー情報付加処理部１４２は、第１のＲＳ復号処理部１３５からＲＳ符号処理部１４１へと出力されるトランスポートストリームのデータ列を入手し、ＲＳ符号処理部１４１および後述のエネルギー拡散処理部１４３での処理遅延時間が既知であるならば、パケット単位でのエラー訂正可否の情報のみ生成した上で、エラー訂正可否を示す信号の出力タイミングを後述のエネルギー拡散処理部１４３から出力されるデータ列と揃える構成としてもよい。このとき、ＲＳ符号処理部１４１にて追加されるパリティ部の信号の分を考慮してエラー訂正可否を示す信号を生成する必要がある。
【００６０】
エネルギー拡散処理部１４３は、ＲＳ符号処理部１４１からトランスポートストリームのデータに外符号を追加したデータ列を入手する。そして、同期バイトを除くトランスポートストリームの信号に対し、疑似ランダム符号系列を用いてエネルギー拡散処理を施し、バイトインタリーブ処理部１４４へとデータ列を出力する。
【００６１】
バイトインタリーブ処理部１４４は、エネルギー拡散処理部１４３からデータ列を、エラー情報付加処理部１４２から「エラー訂正可否の情報」（エネルギー拡散処理部１４３から得られたデータが第１のＲＳ復号処理部１３５においてエラー訂正できたか否かを示す情報）を入手する。この際、「エラー訂正可否の情報」は、エネルギー拡散処理部１４３から入手するデータ列とタイミングが揃えてあるものとする。
【００６２】
そして、バイトインタリーブ処理部１４４は、エネルギー拡散処理部１４３から得たデータ列と、エラー情報付加処理部１４２から入手した「エラー訂正可否の情報」とをＩＳＤＢ−Ｔ規格で規定された順にバイト単位で並び替え、並び替え後のデータ列を畳み込み符号処理部１４５へ、並び替えた「エラー訂正可否の情報」をエラー情報演算処理部１４６へと出力する。ところで、ＩＳＤＢ−Ｔ規格では、階層によってキャリア変調方式が異なる場合、階層毎の遅延時間を合わせることが必要であるため、図１の構成においては、バイトインタリーブ処理部１４４にて遅延補正処理も同時に行われるものとする。
【００６３】
畳み込み符号処理部１４５は、バイトインタリーブ処理部１４４より入手したデータ列に対して畳み込み符号処理を施し、符号処理後のデータ列をビットインタリーブ処理部１４７へと出力する。なお、送信信号が複数階層から構成され、階層毎に誤り訂正符号化率が異なる場合には、階層別に符号化処理を行う。
【００６４】
エラー情報演算処理部１４６は、バイトインタリーブ処理部１４４から、バイトインタリーブの並び替え処理を行った「エラー訂正可否の情報」のデータを入手する。エラー情報演算処理部１４６のデータの処理単位は、ビット単位とする。そして、畳み込み符号処理部１４５での演算においてエラーを含んだデータが影響を及ぼす範囲を示すデータを生成する。そして、ビットインタリーブ処理部１４７に対して、畳み込み符号処理部１４５から出力されるデータが誤りを持つ可能性があるか否かを示すデータ（以下、「エラー訂正可能範囲を示す信号」と呼ぶ）を出力する。
【００６５】
また、図２を用いてエラー情報演算処理部１４６の処理手順を説明する。図２は、エラー情報演算処理部１４６で行う演算処理回路である。図２の演算処理回路は、図９の符号化回路と比較して、Ｘ出力とＹ出力を生成するための排他的論理和演算器がそれぞれ論理和演算器となっている点が異なる。図２の演算処理回路は、バイトインタリーブ処理部１４４から入手する「エラー訂正可否の情報」は、第１のＲＳ復号処理部１３５においてエラー訂正できたデータであれば「０」を、エラー訂正できなかったデータであれば「１」を入力すれば、出力信号として畳み込み符号処理部１４５での生成符号がエラーを持つ可能性のあるデータから生成されたものであるか否かを判別するデータが得られる。
【００６６】
なお、エラー除法演算処理部１４６は、畳み込み符号化率に応じて、符号化器のＸ出力とＹ出力を選択出力するが、Ｘ出力とＹ出力の選択手順は、畳み込み符号処理部１４５と同一とする。
【００６７】
ビットインタリーブ処理部１４７は、畳み込み符号処理部１４５から畳み込み符号処理されたデータ列を入手し、エラー情報演算処理部１４６から「エラー訂正可能範囲を示す信号」を入手する。そして、畳み込み符号処理部１４５から得たデータ列と、エラー情報演算処理部１４６から得た「エラー訂正可能範囲を示す信号」が時間方向にずれないよう配慮した上で、ＩＳＤＢ−Ｔの規格に従って２つのデータ列のビットの並び替え処理を行い、並び替えたデータ列とエラー訂正可否の情報それぞれをマッピング処理部１５１へと出力する。
【００６８】
マッピング処理部１５１は、ビットインタリーブ処理部１４７からビットインタリーブ後のデータ列と、ビットインタリーブ後の「エラー訂正可能範囲を示す信号」とを入手する。そして、ビットインタリーブ後のデータ列を「エラー訂正可能範囲を示す信号」に基づいて、ＯＦＤＭキャリア単位に分割し、各キャリアに指定されるＱＰＳＫ、１６ＱＡＭ、６４ＱＡＭなどのキャリア変調方式に従いマッピングを行う。キャリア変調方式が１６ＱＡＭの場合を例として、マッピング処理部１５１の処理を図３を用いて説明する。
【００６９】
図３は、変調方式が１６ＱＡＭの場合のマッピング処理部１５１への入力データパターンとマッピング点の関係を示し、４ビットのデータに対して実数Ｉと虚数Ｑがどのように割り当てされるかを図示したものである。たとえば、入力データが（ｂ０，ｂ１，ｂ２，ｂ３）＝（０，０，０，０）であれば、（Ｉ,Ｑ）＝（＋３,＋３）の複素信号がマッピング点として割り当てられる。マッピング処理部１５１は、ビットインタリーブ処理部１４７から入手したビットインタリーブ後のデータ列をキャリア変調方式から決定されるマッピング点を表す複素信号（以下、「マッピング点の情報」と呼ぶ）へと変換し、同時に、マッピング点算出元のデータに対応するビットインタリーブ後の「エラー訂正可能範囲を示す信号」（以下、「マッピング点の誤り有無情報」と呼ぶ）を符号間距離算出・累積処理部１５２および第２のデマッピング処理部１５３へと出力する。
【００７０】
符号間距離算出・累積処理部１５２は、マッピング処理部１５１より、キャリア変調方式に応じてマッピングされた「マッピング点の情報」と「マッピング点の誤り有無情報」のデータ列を入手する。また、デインタリーブ処理部１２１より、ＯＦＤＭシンボルのデータ列（以下、「受信したＯＦＤＭシンボル点の情報」と呼ぶ）を入手する。まず、「受信したＯＦＤＭシンボル点の情報」と、「マッピング点の情報」および「マッピング点の誤り有無情報」のタイミングをそろえる。第１のデマッピング処理部１２２からマッピング処理部１５１までの処理遅延量もしくは、データがＯＦＤＭシンボル単位で処理されることから、例えば、ＯＦＤＭシンボルの先頭を判別し、「マッピング点の情報」と「受信したＯＦＤＭシンボル点の情報」との入手タイミング差をカウントし差を調整するか、各処理ブロックにおいて、ＯＦＤＭシンボル先頭を示す信号を生成し伝達すればよい。
【００７１】
次に、符号間距離算出・累積処理部１５２は、「受信したＯＦＤＭシンボル点の情報」と「マッピング点の情報」との距離を算出する。距離の算出は、ユークリッド距離の算出手順に従う。ただし、距離算出時に「マッピング点の誤り有無情報」を考慮する必要がある。もし、「マッピング点の情報」に対応する「マッピング点の誤り有無情報」が誤りなしの場合には、「マッピング点の情報」の複素信号と、「受信したＯＦＤＭシンボル点の情報」の複素信号間のユークリッド距離を算出する。
【００７２】
また、「マッピング点の誤り有無情報」のうち、「マッピング点の情報」の生成に用いたデータのうち実数部または虚数部の一方の算出データに誤りが偏った場合には、次の手順で算出した値を「受信したＯＦＤＭシンボル点の情報」と「マッピング点の情報」との距離として算出する。もし、「マッピング点の情報」の虚数部が誤りを持つ可能性がある場合には、「マッピング点の情報」の虚数部を、「受信したＯＦＤＭシンボル点」の虚数部から最も近いシンボル点の虚数部に置き換える。「マッピング点の情報」の実数部の置き換えは行わない。
【００７３】
そして、虚数部を置き換えた「マッピング点の情報」と「受信したＯＦＤＭシンボル点の情報」の複素信号間のユークリッド距離を算出する。
「マッピング点の情報」の生成に用いたデータの実数部も虚数部も共に誤りを含む可能性がある場合には、「マッピング点の情報」の実数部と虚数部を「受信したＯＦＤＭシンボル点の情報」に最も近いシンボル点の複素信号へと置き換え、実数部と虚数部を置き換えた「マッピング点の情報」と「受信したＯＦＤＭシンボル点の情報」の複素信号間のユークリッド距離を算出する。なお、「マッピング点の情報」の生成に用いたデータの実数部も虚数部も共に誤りを含む可能性がある場合に算出されるユークリッド距離の値を累積するとＭＥＲ（Ｍｏｄｕｌａｔｉｏｎ  Ｅｒｒｏｒ  Ｒａｔｉｏ：変調誤差比）と一般に呼ばれる値となる。
【００７４】
このように、「マッピング点の情報」の生成に用いたデータの実数部もしくは虚数部の一方、または実数部・虚数部の両方が誤りを含む可能性がある場合には、「「受信したＯＦＤＭシンボル点」から最も近いシンボル点」と「受信したＯＦＤＭシンボル点」とのユークリッド距離を算出する。本実施の形態１では、算出したユークリッド距離の値に対して補正を加える。補正の手順を図４と図５を用いて説明する。
【００７５】
図４は、「「受信したＯＦＤＭシンボル点」から最も近いシンボル点」と「受信したＯＦＤＭシンボル点」とのユークリッド距離を積算したＭＥＲ値と、信号に付加されるノイズ量との関係を図示したものである。横軸がノイズ量、縦軸がＭＥＲ値の大きさを表す。図の実線がＭＥＲ値を示し、点線が信号に付加されたノイズ量を示す。図４に示すように、ノイズ量が「Ａ」の値より小さくなる場合には、ＭＥＲ値とノイズ量はほぼ一致する。一方、ノイズ量が「Ａ」の値を大きくなると、ＭＥＲ値とノイズ量に差が生じ、ＭＥＲ値がノイズ量に比べて小さくなる。これは、付加されたノイズ量がＱＡＭ信号の符号間距離よりも大きくなる一方で、ユークリッド距離は最も近い符号点との距離から算出する結果、ＭＥＲ値が小さく算出されるためである。
【００７６】
図５は、ノイズ量に対する図１の第１のＲＳ復号処理部１３５の出力信号（トランスポートストリームパケット）のエラー率と、ノイズ量に対する符号間距離算出・累積処理部１５２にて算出したユークリッド距離の累積値とを同時に示したものである。図５に示すように、信号に付加されるノイズ量が増加し、あるノイズ量を下回ると第１のＲＳ復号処理部１３５の出力信号がエラーを含む（ノイズ量が「Ｂ」）。そして、さらにノイズ量が増加すると、第１のＲＳ復号処理部１３５はエラー訂正ができなくなり、全ての出力信号がエラーを含む（ノイズ量が「Ｃ」）。また、ＭＥＲ値は、ノイズ量が「Ａ」よりノイズ量が大きくなると実際に加算したノイズ量よりも小さく算出される。このとき、上述の符号間距離算出・累積処理部１５２にて算出するユークリッド距離の値の累積値は、ノイズ量がノイズ量が「Ａ」からノイズ量が「Ｂ」にかけては信号に付加されるノイズ量を表し、量がノイズ量が「Ｃ」になるＭＥＲ値が出力される。ノイズ量が「Ｂ」からノイズ量が「Ｃ」にかけては、第１のＲＳ復号処理部１３５のエラー率に従い、ＭＥＲ値と「受信したＯＦＤＭシンボル点の情報」と「マッピング点の情報」との距離から算出したユークリッド距離の値の累積値を組み合わせた値が出力される。
【００７７】
この結果、信号に加算されるノイズ量が「Ｂ」よりも大きい場合に、算出値が信号に付加されたノイズ量を正確に表さず、場合によっては、大小関係が逆転する場合も起こりうる。このため、符号間距離算出・累積処理部１５２では、「マッピング点の情報」の生成に用いるデータが誤りを含む場合には、「「受信したＯＦＤＭシンボル点」から最も近いシンボル点」と「受信したＯＦＤＭシンボル点」とのユークリッド距離に補正を加えた値を累積する。「「受信したＯＦＤＭシンボル点」から最も近いシンボル点」と「受信したＯＦＤＭシンボル点」とのユークリッド距離の補正方法は、図４に示すようにＭＥＲ値と信号に付加されるノイズ量との関係がノイズ量「Ａ」より小さいとき非線形の関係となるため、ノイズ量「Ａ」よりノイズ量が大きい領域では、ＭＥＲ値の算出結果を実際に付加したノイズ量へと補正する補正テーブルを用意し、個々のユークリッド距離の算出結果に対し、補正テーブルに従い算出値の補正を加える。この結果、第１のＲＳ復号処理部１３５において、エラー訂正が可能な場合と不可能な場合との算出結果の意味づけをほぼ同等とすることができる。
【００７８】
ところで、以上のように「マッピング点の誤り有無情報」に応じて算出したユークリッド距離は、ＯＦＤＭキャリア単位で算出される。そして、シンボル方向へ一定回数積分する。積分回数は、たとえば、デインタリーブ処理部１２１で行われる時間インタリーブの最長時間と同一とする等が考えられる。そして、シンボル単位に積分した「受信したＯＦＤＭシンボル点の情報」と「マッピング点の情報」との距離情報を第２のデマッピング処理部へと出力する。なお、ＩＳＤＢ−Ｔ規格では、送信側での周波数インタリーブ処理の際、セグメント内で「セグメント内キャリアローテーション」と呼ばれる、周波数方向のデータの並び替え処理が行われているが、シンボル番号に関わらず同じ周波数位置へとデータの並び替えが行われる。一方、他の放送方式などでシンボル番号によってデータの配置場所が異なる場合には、上記のユークリッド距離をシンボル方向に一定回数積分処理を行う際に、シンボル番号に応じたデータの並び替え処理を考慮し、同じ周波数位置の信号に対して算出した「マッピング点の情報」と「受信したＯＦＤＭシンボル点の情報」の複素信号間のユークリッド距離を積算する必要がある。
【００７９】
また、符号間距離算出・累積処理部１５２は、更に細かな処理を経て「受信したＯＦＤＭシンボル点の情報」と「マッピング点の情報」との距離情報を算出することも可能である。ここで距離情報の算出に用いる「マッピング点の情報」の補正手順を再び図３用いて説明する。
【００８０】
図３は、キャリア変調方式が１６ＱＡＭの場合のマッピング規則である。１６ＱＡＭ変調方式では、「マッピング点の情報」は４ビットのデータから算出され「マッピング点の誤り有無情報」がすべて「エラーなし」を示せば、マッピング点は図３に従って一意に決定されるため、「マッピング点の情報」はマッピング処理部１５１から得られた値とする。
【００８１】
次に、「マッピング点の誤り有無情報」より１ビットのデータが「エラーを含む可能性がある」と判定された場合、まず、エラーを含むビットが（ｂ０，ｂ２）もしくは（ｂ１，ｂ３）のいずれに含まれるかを判断する。図３に示すように１６ＱＡＭ変調方式では、マッピング点の実数部が（ｂ０，ｂ２）から、虚数部が（ｂ１，ｂ３）からそれぞれ一意に決定される。一方、エラーを含むビットのペアからは符号点を決められないため、仮の値を割り当てる。たとえば、実数部の値の算出元のｂ０に誤りの可能性があり、ｂ２は正しい情報である場合には、ｂ２から求まる２つの符号点のうち、「受信したＯＦＤＭシンボル点の情報」の実数部に最も近い符号点の実数部を新たな「マッピング点の情報」とする。また、ｂ２に誤りの可能性がありｂ０は正しい場合にも同様とする。
【００８２】
「マッピング点の誤り有無情報」より２ビットのデータが「エラーを含む可能性がある」と判定された場合、誤りビットが（ｂ０，ｂ２）と（ｂ１，ｂ３）のペアそれぞれに１つずつ含まれる場合と、２ビットの誤りが（ｂ０，ｂ２）または（ｂ１，ｂ３）のペアの一方に偏る場合が考えられる。このうち、前者の場合には、上記の４ビットのうち１ビットだけエラーが含まれる場合と同じ手順でマッピング点の実数部と虚数部の算出を行う。
【００８３】
一方、２ビットの誤りが（ｂ０，ｂ２）に集中した場合、「受信したＯＦＤＭシンボル点の情報」の実数部に最も近いシンボル点の実数部をマッピング点の実数部の値とする。（ｂ１，ｂ３）に誤りが集中した場合には、「受信したＯＦＤＭシンボル点の情報」の虚数部に最も近いシンボル点の実数部をマッピング点の実数部の値とする。
【００８４】
「マッピング点の誤り有無情報」より４ビットのデータうち３ビットもしくは、４ビットのデータ全てが誤りを含む可能性がある場合についても、実数部と虚数部の値を上述の手順より決定し新たな「マッピング点の情報」とする。
【００８５】
以上の処理により、符号間距離算出・累積処理部１５２は、補正した「マッピング点の情報」と、「受信したＯＦＤＭシンボル点の情報」とのユークリッド距離をＯＦＤＭキャリア単位で算出し、さらに、シンボル方向へ一定回数積分する。そして、シンボル単位に積分した「受信したＯＦＤＭシンボル点の情報」と「マッピング点の情報」との距離情報を第２のデマッピング処理部へと出力する。（以下、符号間距離算出・累積処理部１５２にて算出したシンボル単位に積分した「受信したＯＦＤＭシンボル点の情報」と「マッピング点の情報」との距離情報を「キャリア単位の妨害情報」とする）
ところで、以上の説明ではキャリア変調方式を１６ＱＡＭ変調方式として説明を行ったが、キャリア変調方式がたとえば６４ＱＡＭなどより多値の変調方式となる場合には、データ誤りの発生の組み合わせが増加するが、誤りの無いビットから算出されるマッピング点のうち、最も「受信したＯＦＤＭシンボル点の情報」に近い点を新たな「マッピング点の情報」に置き換えることで、同様の算出方法を採ることができる。また、新たな「マッピング点の情報」も、後段の第２のデマッピング処理部１５３へと出力し、マッピング処理部１５１から第２のデマッピング処理部１５３へと出力される「マッピング点の情報」の代わりとしてもよい。
【００８６】
ところで、符号間距離算出・累積処理部１５２において算出する「キャリア単位の妨害情報」は、データの並び順がデインタリーブ処理部１２１にて周波数および時間方向に並び替えられた結果の信号から算出した値である。符号間距離算出・累積処理部１５２における「キャリア単位の妨害情報」を算出する際には、送受の信号点のユークリッド距離を積算するためのメモリ等が必要となるが、例えば、メモリへ値を格納する際に信号の送信時の周波数インタリーブ処理手順に従って送受の信号点のユークリッド距離の値を並び替えた上でメモリに格納してもよい。
【００８７】
すると、「キャリア単位の妨害情報」は、低い周波数のＯＦＤＭキャリアから順番に並び替えることができ、例えば、受信信号の特定のＯＦＤＭキャリア周辺に周波数選択性妨害信号が重畳している場合には、ある範囲の「キャリア単位の妨害情報」に偏って大きな値を示す。このように、「キャリア単位の妨害情報」の周波数方向の分布状況から受信した信号が周波数選択性妨害信号の影響を受けているか否かの判定ができる。また、周波数選択性妨害信号の影響を受けているＯＦＤＭキャリア位置をより正確に特定できる。また、「キャリア単位の妨害情報」算出時の積算回数が少ない場合など、「キャリア単位の妨害情報」を補間処理したり鈍らせた結果を「キャリア単位の妨害情報」に置き換えることもできる。その他、周波数選択性妨害信号の発生周波数の情報を別途利用することも考えられるが本実施の形態では特に説明を行わない。以上の「キャリア単位の妨害情報」算出時にデータの並びを入れ替える場合には、後段の第２のデマッピング処理部１５３において「キャリア単位の妨害情報」を利用する際に、再度「キャリア単位の妨害情報」の並び替えが必要となる。
【００８８】
第２のデマッピング処理部１５３は、デインタリーブ処理部１２１から「受信したＯＦＤＭシンボル点の情報」と伝送路特性の推定結果のデータ列を入手し、マッピング処理部１５１より「マッピング点の情報」および「マッピング点の誤り有無情報」を、符号間距離算出・累積処理部１５２からは、シンボル単位に積分した「受信したＯＦＤＭシンボル点の情報」と「マッピング点の情報」との距離情報を入手する。そして、図８のデマッピング処理部６２２と同様に、デマッピング処理を行う。マッピング点の情報としては、マッピング処理部１５１から得られる「マッピング点の情報」とデインタリーブ処理部１２１から入手した「受信したＯＦＤＭシンボル点の情報」を入手し、それぞれの処理タイミングをそろえた上で、「マッピング点の誤り有無情報」を基準に、「マッピング点の情報」の算出元のデータが誤りを持つ可能性が無い場合には、「マッピング点の情報」を選択し、伝送路特性の推定結果の値は、大きな値を与える。大きな値とは、たとえば、伝送路において振幅変動が無い場合の伝送路特性の大きさを「１」として、「１」を与える。
【００８９】
一方、「マッピング点の情報」の算出元のデータが誤りを持つ可能性ある場合には「受信したＯＦＤＭシンボル点の情報」を信頼性情報の算出に用い、伝送路特性の推定結果の情報は、デインタリーブ処理部１２１から得た伝送路特性の推定結果の大きさ（キャリア毎に算出した伝送路特性Ｈ（ω）の推定結果の大きさ）とする。このとき、信頼性情報の算出に用いる受信シンボル点の情報として、符号間距離算出・累積処理部１５２にて新たに生成した「マッピング点の情報」を用いた上で、伝送路特性の大きさの情報をデインタリーブ処理部１２１から入手してもよい。
【００９０】
さらに、第２のデマッピング処理部１５３は、符号間距離算出・累積処理部１５２にてシンボル単位に積分した「受信したＯＦＤＭシンボル点の情報」と「マッピング点の情報」との距離情報を用いて、上記受信シンボル点と伝送路特性の大きさから算出される信頼性情報の値を補正する。ところで、符号間距離算出・累積処理部１５２にて算出したシンボル単位に積分した「受信したＯＦＤＭシンボル点の情報」と「マッピング点の情報」との距離情報は、「マッピング点の情報」の算出に用いたデータがエラーを訂正されたデータから算出されるために、信号の送信局で生成される信号と同一の送信信号点と、復調処理の結果得られた受信点とを比較し、送受の信号点のユークリッド距離を同じデータキャリアについて一定時間積算した値とみなすことができる。
【００９１】
「キャリア単位の妨害情報」は、より正しく各キャリアに含まれる妨害信号量を時間方向に平均化した結果とみなせるため、「キャリア単位の妨害情報」を用いて各受信データの信頼性情報を補正する。具体的には、「キャリア単位の妨害情報」が大きいデータキャリアの信頼性を低く、「キャリア単位の妨害情報」が小さいデータキャリアの信頼性を高くなるよう、受信シンボル点と伝送路特性から算出した信頼性値を「キャリア単位の妨害情報」で除算する。また、常に「マッピング点の誤り有無情報」がエラーであることを示したり、「キャリア単位の妨害情報」が突出して大きいことを示したりするキャリアは、信頼性値を「０」として、当該キャリアに含まれるデータは全く信頼できないとしてもよい。そして、第２のデマッピング処理部１５３は、生成したビットデータと信頼性情報とを第２の誤り訂正部１６０（第２のビットデインタリーブ処理部１６１）へと出力する。
【００９２】
さらに、第２のデマッピング処理部１５３では、先に述べたように符号間距離算出・累積処理部１５２より、「キャリア単位の妨害情報」を入手している。この「キャリア単位の妨害情報」をキャリア方向に平均化することで、受信信号に含まれる妨害信号量の指標として別途用いることができる。もし、受信するＯＦＤＭ信号のＣ／Ｎが信号レベルで短時間に変化するように時間変動する場合など、キャリア単位の妨害情報の平均値を受信信号のノイズ量として、第２のデマッピング処理部１５３から第２の誤り訂正部１６０（第２のビットデインタリーブ処理部１６１）に対し出力する信頼性情報をさらに補正してもよい。また、別途マルチキャリア変調信号受信装置が受信する信号の信号品質値として利用することも可能である。
【００９３】
第２の誤り訂正部１６０は、第２のデマッピング処理部１５３より入手したビットデータと信頼性情報に基づいて、誤り訂正処理を行い、元の信号系列を生成する。以下に図１（ｂ）を参照しながら、第２の誤り訂正部１６０の動作を詳細に説明する。
【００９４】
第２のビットデインタリーブ処理部１６１は、第１のビットデインタリーブ処理部１３１と同様に、第２のデマッピング処理部１５３より入手したビットデータと信頼性情報を、ＩＳＤＢ−Ｔ規格の規定に従い元の順序へと並び替え、第２の復号処理部１６２へと出力する。
【００９５】
第２の復号処理部１６２は、第１の復号処理部１３２と同様に、第２のビットデインタリーブ処理部１６１よりビットデータと信頼性情報を入手し、受け取ったビットデータを信頼性情報に応じて重み付けしビタビ復号処理を行い、第２のバイトデインタリーブ処理部１６３へとビタビ復号結果のデータ列を出力する。
【００９６】
第２のバイトデインタリーブ処理部１６３は、第１のバイトデインタリーブ処理部１３３と同様に、第２の復号処理部１６２より入手したビタビ復号結果のデータ列を受け取り元の順序へと並び替えを行い、第２のエネルギー逆拡散処理部１６４へとデータ列を出力する。
【００９７】
第２のエネルギー拡散処理部１６４は、第１のエネルギー逆拡散処理部１３４と同様に、第２のバイトデインタリーブ処理部１６３より得られたデータ列に対し信号の送信側で施されたエネルギー拡散処理を元に戻す処理を行い、変換後のデータ列を第２のＲＳ復号処理部１６５へと出力する。
【００９８】
第２のＲＳ復号処理部１６５は、第２のエネルギー拡散処理部１６４より入手したデータ列を受け取り、リード・ソロモン復号処理を行った上で、リード・ソロモン復号されたトランスポートストリームパケットのデータ列をＴＳ再生処理部１７１に出力する。
【００９９】
ＴＳ再生処理部１７１は、図８のＴＳ再生処理部６７１と同様の動作を行う。図１の第２のＲＳ復号処理部１６５からリード・ソロモン復号されたデータ列を入手し、トランスポートストリームのパケット数が伝送パラメータによらず一定とするために、適切な数のヌルパケットに補完処理を行い、ヌルパケットを補完した後のトランスポートストリームのパケットデータを後段のＴＳデコード処理部１７２でＴＳデコード処理を行うために出力する。
【０１００】
以上の処理により、本実施例１のマルチキャリア変調信号受信装置は、一度誤り訂正処理を施した結果のデータから信号の送信局で生成される送信信号点を復元し、送信信号点と復調部から得られた受信信号点とをキャリア単位で比較し、比較結果から求まるユークリッド距離を一定時間積算した値をキャリア毎に含まれる妨害信号量とみなし誤り訂正部に伝達する信頼性情報を補正することができるため、従来の方法と比較し高い受信性能を得ることができる。特に、受信信号が周波数選択性の妨害信号の影響を受けている場合には、キャリア単位で偏りのある妨害信号量をより正確に算出できるため、高い効果を得ることができる。
【０１０１】
ところで、以上の実施例１のマルチキャリア変調信号受信装置の構成の説明においては、例えば、階層毎に異なるキャリア変調方式で信号が伝送されることに伴い、階層毎に処理タイミングを調整する等のＩＳＤＢ−Ｔの規格で規定された処理について必ずしも全ての手順を説明していないが、特別な記載が無い限りＩＳＤＢ−Ｔ規格に沿った処理を適切なブロックにて行うものとする。また、例えば、誤り訂正符号化率や伝送階層数などのＴＭＣＣ信号として伝達されているＯＦＤＭの伝送パラメータ情報は、各処理ブロックにて必要なる場合があるが、ＴＭＣＣ情報から得られる情報については、別途ＴＭＣＣ信号を復号処理するブロックより入手しているものとして、図示と詳細説明を行っていない。
【０１０２】
なお、本実施例において、図１のように符号化部１４０から第２の誤り訂正部１６０において１回の誤り訂正処理をして、ＴＳ再生処理部１７１へ出力するとしたが、符号化部１４０から第２の誤り訂正部１６０で複数回の誤り訂正処理をして、ＴＳ再生処理部１７１へ出力するとしても良い。この場合、図６のように第２の誤り訂正部１６０での誤り訂正処理が何回目かをカウントするために、第２の誤り訂正部１６０の出力信号を入力する誤り訂正カウント部１６６を設ける。例えば、繰り返し回数が２回の場合には、誤り訂正カウント部１６６は第２の誤り訂正部１６０での誤り訂正処理の回数が１回のときに符号化部１４０に信号を出力し、誤り訂正処理の回数が２回のときにＴＳ再生処理部１７１に出力する。さらに、例えば、第２の誤り訂正処理部１６０の動作速度を高め、出力信号の出力時間の遅れが発生しない範囲で、誤り訂正カウント部１６６から符号化部１４０への信号処理を複数回繰り返し、誤り訂正効果を高めることも可能である。
【０１０３】
なお、本実施例において、図１のように第１の復号処理部１３２と第２の復号処理部１６２というように同一処理を行うブロックを２個設けたが、共用化するとしても良い。この場合、図７のように第２のデマッピング処理部１５３からの出力信号を第１の誤り訂正部１３０に入力するようにする。第１の誤り訂正部１３０での誤り訂正処理が何回目かをカウントするために、第１の誤り訂正部１３０の出力信号を入力する誤り訂正カウント部１３６を設ける。そして、誤り訂正カウント部１３６は、第１の誤り訂正部１３０での誤り訂正処理の回数が１回のときに符号化部１４０に信号を出力し、誤り訂正処理の回数が規定の回数に達したときにＴＳ再生処理部１７１に信号を出力する。また、例えば、第１の誤り訂正処理部１３０の動作速度を高く設定し、出力信号の出力時間の遅れが大きくならない範囲で、第２のデマッピング処理部１５３から第１の誤り訂正部１３０への信号処理を複数回繰り返し、誤り訂正効果を高めることも可能である。
【産業上の利用可能性】
【０１０４】
本発明にかかるマルチキャリア変調信号受信装置は、信号の送信局で生成される送信信号点を復元し、復元した送信信号点と復調部から得られた受信信号点とをキャリア単位で比較し、比較結果から求まるユークリッド距離を一定時間積算した値をキャリア毎に含まれる妨害信号量とみなし誤り訂正部に伝達する信頼性情報を補正することが可能になるので、受信信号が周波数選択性の妨害信号の影響を受けている場合などにより高い受信性能を得ることができる。
【符号の説明】
【０１０５】
１０１    アンテナ部
１０２    チューナ部
１０３    Ａ／Ｄ変換処理部
１１０    復調部
１１１    直交検波処理部
１１２    ＦＦＴ処理部
１１３    等化処理部
１２１    デインタリーブ処理部
１２２    第１のデマッピング処理部
１３０    第１の誤り訂正部
１３１    第１のビットデインタリーブ処理部
１３２    第１の復号処理部
１３３    第１のバイトデインタリーブ処理部
１３４    第１のエネルギー拡散処理部
１３５    第１のＲＳ復号処理部
１３６    誤り訂正カウント部
１４０    符号化部
１４１    ＲＳ符号処理部
１４２    エラー情報付加処理部
１４３    エネルギー拡散処理部
１４４    バイトインタリーブ処理部
１４５    畳み込み符号処理部
１４６    エラー情報演算処理部
１４７    ビットインタリーブ処理部
１５１    マッピング処理部
１５２    符号間距離算出・累積処理部
１５３    第２のデマッピング処理部
１６０    第２の誤り訂正部
１６１    第２のビットデインタリーブ処理部
１６２    第２の復号処理部
１６３    第２のバイトデインタリーブ処理部
１６４    第２のエネルギー逆拡散処理部
１６５    第２のＲＳ復号処理部
１６６    誤り訂正カウント部
１７１    ＴＳ再生処理部
１７２    ＴＳデコード処理部
１７３    ＭＰＥＧデコード処理部
【図１（ａ）】
2013055368.tif 000003
【図１（ｂ）】
2013055368.tif 000004
【図２】
2013055368.tif 000005
【図３】
2013055368.tif 000006
【図４】
2013055368.tif 000007
【図５】
2013055368.tif 000008
【図６】
2013055368.tif 000009
【図７】
2013055368.tif 000010
【図８】
2013055368.tif 000011
【図９】
2013055368.tif 000012